(57)【要約】【課題】送信端末より電子メール等で呼び出された時にのみ無線ＬＡＮ  Ｉ／Ｆを起動させることで、常に無線ＬＡＮ  Ｉ／Ｆを起動させる現状に比べて消費電力を抑えることを可能とし、更には電子メール等の情報に基づいた呼び出し制御やセッション管理、移動端末からのコールバック等も適宜可能とする。【解決手段】本発明の情報端末１は、無線ＬＡＮ機能１ｃと、情報通信網に接続された外部端末２からの電子メール又はＳＩＰ機能による電子メールによって発せられる命令を受信する命令受信機能１ａと、当該電子メールのボディ部に記述された命令に従い無線ＬＡＮ機能１ｃを起動する無線ＬＡＮ起動機能１ｂと、を有し、特に上記ボディ部に記述された命令は、時間情報を含み、当該時間情報を基に無線ＬＡＮ機能１ｃの起動タイミングを決定することを特徴とする。【選択図】      図１
2005109850.tif 000002
【特許請求の範囲】
【請求項１】
無線ＬＡＮ機能を有する情報端末において、情報通信網に接続された外部端末からの電子メール又はＳＩＰ機能による電子メールによって発せられる命令を受信する命令受信手段と、当該電子メールのボディ部に記述された命令に従い無線ＬＡＮ機能を起動する無線ＬＡＮ起動手段と、を有することを特徴とする情報端末。
【請求項２】
上記ボディ部に記述された命令は、時間情報を含み、当該時間情報を基に無線ＬＡＮ機能の起動タイミングを決定することを特徴とする請求項１に記載の情報端末。
【請求項３】
上記ボディ部に記述された命令は、当該情報端末からの接続要求先に関する情報を含むことを特徴とする請求項１に記載の情報端末。
【請求項４】
情報通信網に接続された外部端末によりセルラー又は無線ＬＡＮ方式を用いた無線ＬＡＮ機能起動要求により無線ＬＡＮ機能が起動される情報端末において、当該情報端末から通信相手端末に対しＳＩＰ機能を利用してセッションを確立し、データ通信を行うことを特徴とする情報端末。
【請求項５】
上記通信相手端末は、無線ＬＡＮ機能起動要求を送出した外部端末以外の端末であることを特徴とする請求項４に記載の情報端末。
【請求項６】
外部端末と情報通信網を介して通信自在に接続された情報端末による通信方法であって、
無線ＬＡＮ  Ｉ／Ｆ制御手段により、上記外部端末からの無線ＬＡＮ機能起動要求の内容に基づいて無線ＬＡＮ機能を起動するステップと、
セルラー／ＰＨＳ制御手段により、外部端末に対して切断要求をなすステップと、
無線ＬＡＮ制御手段により、上記外部端末に対して無線ＬＡＮ通信網を介した通信セッションを確立し、データ通信を行うステップと、
を有することを特徴とする通信方法。
【発明の詳細な説明】
【技術分野】
【０００１】
本発明は、情報端末及びそれを用いた通信方法に係り、移動透過性を実現するモビリティ制御ネットワークにおける呼び出し制御やセッション管理、更にはコールバック等に特徴を有する情報端末及びそれを用いた通信方法に関する。
【背景技術】
【０００２】
従来、送信端末と移動端末との間で通信を行う場合、送信端末による呼び出しから通信セッションの確立までを単一の通信方式に基づいて行うのが一般的であり、例えばセルラー方式の場合には全ての処理をセルラー方式に基づいて行っている。
【０００３】
ここで、例えば無線ＬＡＮをアクセス方式としてＩＰ電話をかける場合を例に挙げて説明すると、従来技術では、送信端末がＩＰ電話による呼び出しを行った場合、移動端末が無線ＬＡＮが利用可能な通信環境下にあり且つ無線ＬＡＮ  Ｉ／Ｆが起動している場合にはじめて通信が可能となる。つまり、移動端末が、無線ＬＡＮが利用不可能な通信環境下にある場合や、無線ＬＡＮ  Ｉ／Ｆが休止状態であった場合には、当該移動端末のユーザは自分が呼び出されたことすら認識することができない。このような場合には、移動端末が、無線ＬＡＮが利用可能な通信環境にて自己の無線ＬＡＮ  Ｉ／Ｆを起動し、留守番電話等により送信端末からの呼び出しがあったことを認識し、改めて送信端末を呼び出すことで、はじめて送信端末と移動端末との間の通信が実際になされることになる。
【０００４】
ここで、例えば非特許文献１には、無線ＬＡＮでは、ある一定時間データを送受信しない場合、端末の省電力化のために無線ＬＡＮ  Ｉ／Ｆを停止することから、当該無線ＬＡＮ  Ｉ／Ｆを介する通信ができないといった問題に鑑みて、既存セルラーシステムの高速なページング機能を利用することで、無線ＬＡＮにおけるページング機能を実現するセルラー／無線ＬＡＮ連携ページング方式に関する技術が開示されている。即ち、この技術では、無線ＬＡＮ  Ｉ／Ｆが停止状態にある移動端末が、セルラーネットワークよりページングを受けると、無線ＬＡＮ  Ｉ／Ｆを介してＩＰターミナルとのセッションを確立することで通信可能な状態となることを特徴としている。
【非特許文献１】２００３年電子情報通信学会総合大会予稿集  B-5-288  「セルラー／無線ＬＡＮ連携ページング方式の実装、及び評価」岩間ほか
【発明の開示】
【発明が解決しようとする課題】
【０００５】
しかしながら、前述したような従来技術において、送信端末からの呼び出しを極力受信しようとすると、無線ＬＡＮが利用可能な通信環境において常に無線ＬＡＮカードを起動しておく必要があり、これが移動端末の移動範囲を制限し、且つ消費電力を非常に大きくする要因となる。また、移動端末が呼び出しを認識するまでの時間が長時間となる可能性もあり、緊急に連絡を取りたい場合の通信手段としては好適ではない。更に、非特許文献１により開示された技術では、電子メールの情報に基づいた呼び出し制御やセッション管理、更にはコールバック等については何等示唆も開示もされていない。
【０００６】
本発明の目的とするところは、送信端末より電子メール等で呼び出された時にのみ無線ＬＡＮ  Ｉ／Ｆを起動させることで、常に無線ＬＡＮ  Ｉ／Ｆを起動させる現状に比べて消費電力を抑えることを可能とし、更には電子メール等の情報に基づいた呼び出し制御やセッション管理、移動端末からのコールバック等も適宜可能とすることにある。
【課題を解決するための手段】
【０００７】
上記目的を達成するために、本発明の第１の態様では、無線ＬＡＮ機能を有する情報端末において、情報通信網に接続された外部端末からの電子メール又はＳＩＰ機能による電子メールによって発せられる命令を受信する命令受信手段と、当該電子メールのボディ部に記述された命令に従い無線ＬＡＮ機能を起動する無線ＬＡＮ起動手段と、を有することを特徴とする情報端末が提供される。この第１の態様において、上記ボディ部に記述された命令は、時間情報を含み、当該時間情報を基に無線ＬＡＮ機能の起動タイミングを決定することとしてもよい。また、この第１の態様において、上記ボディ部に記述された命令は、当該情報端末からの接続要求先に関する情報を含むこととしてもよい。
【０００８】
本発明の第２の態様では、情報通信網に接続された外部端末によりセルラー又は無線ＬＡＮ方式を用いた無線ＬＡＮ機能起動要求により無線ＬＡＮ機能が起動される情報端末において、当該情報端末から通信相手端末に対しＳＩＰ機能を利用してセッションを確立し、データ通信を行うことを特徴とする情報端末が提供される。そして、この第２の態様において、上記通信相手端末は、無線ＬＡＮ機能起動要求を送出した外部端末以外の端末であることを特徴としてもよい。
【０００９】
本発明の第３の態様では、外部端末と情報通信網を介して通信自在に接続された情報端末による通信方法であって、無線ＬＡＮ  Ｉ／Ｆ制御手段により上記外部端末からの無線ＬＡＮ機能起動要求の内容に基づいて無線ＬＡＮ機能を起動するステップと、セルラー／ＰＨＳ制御手段により外部端末に対して切断要求をなすステップと、無線ＬＡＮ制御手段により上記外部端末に対して無線ＬＡＮ通信網を介した通信セッションを確立しデータ通信を行うステップと、を有することを特徴とする通信方法が提供される。
【発明の効果】
【００１０】
本発明によれば、送信端末より電子メール等で呼び出された時にのみ無線ＬＡＮ  Ｉ／Ｆを起動させることで、常に無線ＬＡＮ  Ｉ／Ｆを起動させる現状に比べて消費電力を抑えることを可能とし、更には電子メール等の情報に基づいた呼び出し制御やセッション管理、移動端末からのコールバック等も適宜可能とする情報端末及びそれを用いた通信方法を提供することができる。
【発明を実施するための最良の形態】
【００１１】
以下、図面を参照して、本発明の実施の形態について説明する。
【００１２】
図１には、本発明の第１の実施の形態に係る情報端末及びその周辺機器の構成を示し説明する。この図１に示されるように、外部端末２は、セルラー／ＰＨＳ通信網を介して情報端末１と通信自在に接続されており、更に当該情報端末１は、無線ＬＡＮ通信網を介して外部端末２及び通信相手端末３と通信自在に接続されている。通信相手端末３とは、無線ＬＡＮ機能１ｃの起動要求を送出した外部端末２以外の端末を意味している。
【００１３】
さらに、情報端末１は、無線ＬＡＮ機能１ｃと、セルラー／ＰＨＳ通信網を介して接続された外部端末２からの電子メール又はＳＩＰ機能による電子メールによって発せられる命令を受信する命令受信機能１ａと、当該電子メールのボディ部に記述された命令に従って無線ＬＡＮ機能１ｃを起動する無線ＬＡＮ起動機能１ｂと、を有している。
【００１４】
ここで、外部端末２から情報端末１に送信される電子メールの構造例は、図２に示される通りである。即ち、電子メールのパケットは、ヘッダ部とボディ部からなり、ボディ部に記述された命令は、少なくとも時間情報と接続要求先に関する情報を含む。
【００１５】
以下、図３のフローチャートを参照して、第１の実施の形態に係る情報端末１による動作を説明する。情報端末１は、外部端末２よりセルラー／ＰＨＳ通信網を介して送信された電子メールを命令受信機能１ａにて受信すると、無線ＬＡＮ起動機能１ｂが当該電子メールのボディ部の命令（時間情報、接続先情報）を解析する（ステップＳ２）。
【００１６】
そして、無線ＬＡＮ起動機能１ｂは、時間情報を基に無線ＬＡＮ機能１ｃの起動タイミングを決定し（ステップＳ３）、無線ＬＡＮ機能１ｃは、接続要求先に関する情報に基づいて接続先（外部端末２、通信相手端末３）を特定し、特定された接続先に対してＳＩＰ機能を利用してセッションを確立し、データ通信を行う（ステップＳ４）。
【００１７】
以上説明したように、本発明の第１の実施の形態によれば、外部端末２より電子メール等で呼び出された時にのみ無線ＬＡＮ  Ｉ／Ｆを起動させることで、常に無線ＬＡＮ  Ｉ／Ｆを起動させる現状に比べて消費電力を抑えることを可能とする。
【００１８】
更には、電子メール等のボディ部の情報（時間情報、接続先情報）に基づいた通信、例えば三者間通信等を可能とする。
【００１９】
次に本発明の第２の実施の形態について説明する。
【００２０】
図４には、本発明の第２の実施の形態に係る情報端末及びその周辺機器の構成を示し説明する。図４に示されるように、コレスポンデントノード（CN：Correspondent  Node）１１はＳＩＰサーバ１２と通信自在に接続されており、当該ＳＩＰサーバ１２はセルラー／ＰＨＳ通信網を介して基地局（BS；Base Station）１５と通信自在に接続されている。更に、このＢＳ１５は、モバイルノード（MN：Mobile  Node）１３と通信自在に接続されており、当該ＭＮ１３は、アクセスポイント（AP：Access  Point）１４と通信自在に接続されている。このＭＮ１３は、更にＡＰ１４及び無線ＬＡＮ通信網を経由して、ＳＩＰサーバ１２を介してＣＮ１１と通信自在に接続されると共に、ＭＮ１６と通信自在に接続されている。
【００２１】
ここで、図５は上記各部の構成を更に具現化して示した図である。
【００２２】
図５に示されるように、ＳＩＰサーバ１２は、呼び出し制御部２１とロケーションＤＢ２２とを有している。呼び出し制御部２１は、呼び出し部２１ａと切換検知部２１ｂ、エラーメッセージ書き込み部２１ｃを有している。ロケーションＤＢ２２は、ＭＮ１３のSIPURI、携帯（ＰＨＳ）番号、電子メールアドレスを管理している。尚、ロケーションＤＢ２２をＳＩＰサーバ１２とは別のサーバが保持する構成としてもよい。
【００２３】
一方、ＭＮ１３は、セルラー／ＰＨＳ制御部３１、無線ＬＡＮ制御部３２、ＴＣＰ／ＩＰ制御部３３、ＳＩＰＵＡ（User Agent）３４を有している。更に、セルラー／ＰＨＳ制御部３１は呼び出し制御部３１ａを有し、無線ＬＡＮ制御部３２はＩ／Ｆ起動制御部３２ａを有し、ＳＩＰＵＡ３４は呼び出し受付部３４ａと無線ＬＡＮ  Ｉ／Ｆ制御部３４ｂとを有している。尚、無線ＬＡＮ  Ｉ／Ｆは、無線ＬＡＮ  制御部３２に概念上含まれている。
【００２４】
以下、図４及び図５を参照して、第２の実施の形態に係る情報端末及びその周辺機器による一連の通信の流れについて詳細に説明する。
【００２５】
先ず、無線ＬＡＮ  Ｉ／Ｆが起動されているか否かを確認し、当該確認の結果、無線ＬＡＮ  Ｉ／Ｆが起動していない場合には以下の流れ沿って通信が行われることになる。
【００２６】
ＣＮ１１からＭＮ１３(SIPURI)に対する呼び出しメッセージ（以下、INVITEメッセージと称する）が送信されると（＃１）、ＳＩＰサーバ１２では、呼び出し制御部２１の呼び出し部２１ａが、当該INVITEメッセージを受け付け、セルラー／ＰＨＳ通信網を介した通信が可能かどうかロケーションＤＢ２２に問い合わせる。その結果として、セルラー／ＰＨＳ通信網を介しての通信が可能であると判断した場合には、呼び出し部２１ａが、ＣＮ１１からのINVITEメッセージの内容をSIPメッセージとして含む呼び出し信号をＭＮ１３に送信することでＭＮ１３に対する呼び出しを行う（＃２）。
【００２７】
そして、ＭＮ１３を呼び出すことができない場合には、ＳＩＰサーバ１２は、所定のエラーメッセージをＣＮ１１に送信する（＃１１）。
【００２８】
ＭＮ１３では、セルラー／ＰＨＳ制御部３１の呼び出し制御部３１ａが、セルラー／ＰＨＳ通信網を介した上記呼び出しを検知（着呼）し（＃３）、その旨をＴＣＰ／ＩＰ制御部３３を介してＳＩＰＵＡ３４に通知し、呼び出し受付部３４ａに情報を引き渡す。呼び出し受付部３４ａは、この情報を受け取ると、所定の制御信号を無線ＬＡＮ  Ｉ／Ｆ制御部３４ｂに出力する。無線ＬＡＮ  Ｉ／Ｆ制御部３４ｂは、この制御信号を受けると、無線ＬＡＮ制御部３２のＩ／Ｆ起動制御部３２ａに対して無線ＬＡＮ  Ｉ／Ｆの起動命令を通知し、実際に起動させる（＃４）。ＡＰ検知部３２ｂは、無線ＬＡＮ  ＡＰ１４を探索し（＃５）、当該無線ＬＡＮ  ＡＰ１４からの応答（ＩＰ付与）を受けると（＃６）、その旨をＴＣＰ／ＩＰ制御部３３を介してＳＩＰＵＡ３４に通知する。これにより、無線ＬＡＮ通信網を介した通信が可能であると判断したＳＩＰＵＡ３４は、その旨の情報をＴＣＰ／ＩＰ制御部３３を介してセルラー／ＰＨＳ制御部３１に送信する。セルラー／ＰＨＳ制御部３１では、この情報を受けると、呼び出し制御部３１ａがセルラー／ＰＨＳ通信網を介した通信の切断要求を行う（＃７）。
【００２９】
この切断要求を受けると、ＳＩＰサーバ１２では、呼び出し制御部２１の切断検知部２１ｂが、セルラー／ＰＨＳ通信網を介した呼び出しを切断する。そして、エラーメッセージ書き込み部２１ｃは、ＭＮ１３が無線ＬＡＮ通信網を介した通信が可能であるのでＳＩＰサーバ１２からの呼び出しを切断する旨を書き込んだエラーメッセージを生成し、当該エラーメッセージをＣＮ１１に送信する（＃８）。尚、ＭＮ１３が、無線ＬＡＮ通信網を介した通信が不可能である場合には、ＳＩＰサーバ１２は、ＭＮ１３から、ＢＳ１５、セルラー／ＰＨＳ通信網を介したINVITEメッセージを受け付け、通信を開始する。
【００３０】
ＭＮ１３では、無線ＬＡＮ通信網を介した通信が可能である場合には、無線ＬＡＮ制御部３２が、INVITEメッセージをＡＰ１４、無線ＬＡＮ通信網を介してＳＩＰサーバ１２又は他のＭＮ１６に送信する（＃９）。ＳＩＰサーバ１２は、ＭＮ１３からのINVITEメッセージを受信すると、呼び出し制御部２１が、当該INVITEメッセージをＣＮ１１に送信する（＃１０）。以上で、一連の動作を終了する。
【００３１】
以上説明したように、本発明の第２の実施の形態によれば、ＣＮ１１より呼び出された時にのみ無線ＬＡＮ  Ｉ／Ｆを起動させることで、常に無線ＬＡＮ  Ｉ／Ｆを起動させる現状に比べて消費電力を抑えることが可能となる。
【００３２】
更に、無線ＬＡＮ  Ｉ／Ｆ通信網を介した通信が可能であると判断した場合にＳＩＰサーバ１２からの呼び出しを切断し、新たにＭＮ１３からINVITEメッセージをＣＮ１１に向けて送信するような所謂コールバックの手法を採用することで、無線ＬＡＮ通信網を介した広帯域且つ高速な通信も可能となる。また、受信側のＭＮ１３の通信準備が整った段階で、ＭＮ１３にでＣＮ１１等に向けた通信を当該ＭＮ１３より行うことができる。
【００３３】
次に本発明の第３の実施の形態について説明する。
【００３４】
図６には、本発明の第３の実施の形態に係る情報端末及びその周辺機器の構成を示し説明する。この図６に示されるように、ＣＮ１１はＳＩＰサーバ１２と通信自在に接続されており、当該ＳＩＰサーバ１２はセルラー／ＰＨＳ通信網を介してＭＮ１３と通信自在に接続されており、当該ＭＮ１３は、ＡＰ１４と通信自在に接続されている。このＭＮ１３は、更にＡＰ１４及び無線ＬＡＮ通信網を経由して、ＳＩＰサーバ１２を介してＣＮ１１と通信自在に接続されると共に、ＭＮ１６と通信自在に接続されている。
【００３５】
尚、ＳＩＰサーバ１２は、任意的な構成要素であり、ＳＩＰ機能による電子メールを用いない場合には当該ＳＩＰサーバ１２を介することなくＣＮ１１とＭＮ１３とが通信自在に接続されるように構成されることは勿論である。
【００３６】
ここで、図７は上記各部の構成を更に具現化して示した図である。
【００３７】
図７に示されるように、ＳＩＰサーバ１２は、呼び出し制御部２１とロケーションＤＢ２２とを有している。更に呼び出し制御部２１は、メール呼び出し部２１ｄと切換検知部２１ｂ、エラーメッセージ書き込み部２１ｃを有している。尚、このロケーションＤＢ２２は、ＭＮ１３のSIPURI、携帯（ＰＨＳ）番号、メールアドレスを管理している。ロケーションＤＢ２２をＳＩＰサーバ１２とは別のサーバが保持する構成としてもよい。
【００３８】
一方、ＭＮ１３は、セルラー／ＰＨＳ制御部３１、無線ＬＡＮ制御部３２、ＴＣＰ／ＩＰ制御部３３、メーラー３５、ＳＩＰＵＡ３４を有している。更に、セルラー／ＰＨＳ制御部３１は呼び出し制御部３１ａを有し、無線ＬＡＮ制御部３２はＩ／Ｆ起動制御部３２ａとＡＰ検知部３２ｂとを有し、ＳＩＰＵＡ３４は呼び出し受付部３４ａと無線ＬＡＮ  Ｉ／Ｆ制御部３４ｂとを有している。尚、無線ＬＡＮ  Ｉ／Ｆは、無線ＬＡＮ  制御部３２に概念上含まれている。
【００３９】
以下、図６及び図７を参照して、第３の実施の形態に係る情報端末及びその周辺機器による一連の通信の流れについて詳細に説明する。
【００４０】
先ず、無線ＬＡＮ  Ｉ／Ｆが起動されているか否かを確認し、当該確認の結果、無線ＬＡＮ  Ｉ／Ｆが起動していない場合には以下の流れ沿って通信が行われることになる。
【００４１】
ＣＮ１１からＭＮ１３(SIPURI)に対する呼び出しメッセージ（以下、INVITEメッセージと称する）が送信されると（＃１１）、ＳＩＰサーバ１２では、呼び出し制御部２１のメール呼び出し部２１ａが、当該INVITEメッセージを受け付け、セルラー／ＰＨＳ通信網を介した通信が可能かどうかロケーションＤＢ２２に問い合わせる。このとき、併せてＭＮ１３の電子メールアドレス等も検出される。その結果として、セルラー／ＰＨＳ通信網を介しての通信が可能であると判断した場合には、メール呼び出し部２１ａが、ＣＮ１１からのINVITEメッセージの内容を電子メールのボディ部にSIPメッセージとして書き込み、上記電子メールアドレス宛の電子メールをＭＮ１３に送信することで呼び出しを行う（＃１２）。尚、この第３の実施の形態において、ＳＩＰ機能による電子メールの送信手法を採用せずに、ＣＮ１１から直接ＭＮ１３の電子メールアドレス宛に電子メールを送信するような手法を採用してもよく、その場合にはＳＩＰサーバ１２は不要となる。この場合、ＳＩＰＵＡ３４も構成上は不要となり、無線ＬＡＮ  Ｉ／Ｆ制御部３４ｂの役割をセルラー／ＰＨＳ制御部３１の無線ＬＡＮ  Ｉ／Ｆ制御部３２ｂが担うこととなる。
【００４２】
一方、ＳＩＰサーバ１２の呼び出し制御部２１のメール呼び出し部２１ａが、ロケーションＤＢ２２に問い合わせをした結果、ＭＮ１３に対してセルラー／ＰＨＳ通信網を介して電子メールを送信できないと判断した場合には、ＣＮ１１に対して、その旨のエラーメッセージを送信することとしている（＃１３）。
【００４３】
ＭＮ１３では、セルラー／ＰＨＳ制御部３１の呼び出し制御部３１ａが、セルラー／ＰＨＳ通信網を介した上記電子メールを受信し（＃１４）、当該電子メールをＴＣＰ／ＩＰ制御部３３を介してメーラー３５に送る。このとき、セルラー／ＰＨＳ制御部３１の呼び出し制御部３１ａは、ＳＩＰサーバ１２に対して受信通知を行う（＃１５）。
【００４４】
メーラー３５は、内部の情報解析部３５ａによりＳＩＰサーバ１２より送信された電子メールのボディ部に記述された内容を解析し、当該解析結果に基づいて呼び出し受付部３４ａに制御信号を出力する。即ち、このメーラー３５は、内部に情報解析部３５ａによりＳＩＰサーバ１２より送信された呼び出し信号が記述された電子メールのボディ部に記述された内容を解析することで、ＭＮ１３からのINVITEメッセージの送信先や送信タイミングを特定し、所定の制御信号を出力することになる。
【００４５】
そして、呼び出し受付部３４ａは、このメーラー３５からの制御信号に基づいて更なる制御信号を生成し、無線ＬＡＮ  Ｉ／Ｆ制御部３４ｂに向けて出力する。
【００４６】
無線ＬＡＮ  Ｉ／Ｆ制御部３４ｂは、この制御信号を受けると、無線ＬＡＮ制御部３２のＩ／Ｆ起動制御部３２ａに対して無線ＬＡＮ  Ｉ／Ｆの起動命令を通知し、実際に起動させる（＃１７）。無線ＬＡＮ  Ｉ／Ｆとしての機能も備えるＡＰ検知部３２ｂは、無線ＬＡＮ  ＡＰ１４を探索し（＃１８）、当該無線ＬＡＮ  ＡＰ１４からの応答（ＩＰ付与）を受けると（＃１９）、無線ＬＡＮ制御部３２が、INVITEメッセージをＡＰ１４、無線ＬＡＮ通信網を介してＳＩＰサーバ１２又は他のＭＮ１６に送信する（＃２０）。
【００４７】
ＳＩＰサーバ１２は、ＭＮ１３からのINVITEメッセージを受信すると、呼び出し制御部２１が、当該INVITEメッセージをＣＮ１１に送信する（＃２１）。
【００４８】
以上で一連の動作を終了する。
【００４９】
以上説明したように、本発明の第３の実施の形態によれば、ＣＮ１１より呼び出された時にのみ無線ＬＡＮ  Ｉ／Ｆを起動させることで、常に無線ＬＡＮ  Ｉ／Ｆを起動させる現状に比べて消費電力を抑えることが可能とする。
【００５０】
更には、電子メール等のボディ部の情報（時間情報、接続先情報）に基づいた通信、例えば三者間通信等を可能とする。
【００５１】
以上、本発明の実施の形態について説明したが、本発明はこれに限定されることなく、その趣旨を逸脱しない範囲で種々の改良・変更が可能であることが勿論である。
【００５２】
例えば、上記第１，３の実施の形態では、電子メールで時間情報及び接続先情報を指定する例を示したが、これらに限定されず、種々の事項を指定することができる。
【図面の簡単な説明】
【００５３】
【図１】本発明の第１の実施の形態に係る情報端末１及びその周辺機器の構成図。
【図２】本発明の第１の実施の形態において、外部端末２より送信される電子メールのパケットの構造例を示す図。
【図３】本発明の第１の実施の形態に係る情報端末１による一例の動作を詳細に説明するためのフローチャート。
【図４】本発明の第２の実施の形態に係る情報端末１とその周辺機器との間の通信について詳細に説明するための概念図。
【図５】本発明の第２の実施の形態に係る情報端末１及びその周辺機器の構成図。
【図６】本発明の第３の実施の形態に係る情報端末１とその周辺機器との間の通信について詳細に説明するための概念図。
【図７】本発明の第３の実施の形態に係る情報端末１及びその周辺機器の構成図。
【符号の説明】
【００５４】
１・・・情報端末、１ａ・・・命令受信機能、１ｂ・・・無線ＬＡＮ起動機能、１ｃ・・・無線ＬＡＮ機能、２・・・外部端末、３・・・通信相手端末、１１・・・ＣＮ、１２・・・ＳＩＰサーバ、１３・・・ＭＮ、１４・・・ＡＰ、１５・・・ＢＳ、１６・・・ＭＮ、２１・・・呼び出し制御部、２１ａ・・・メール呼び出し部、２１ｂ・・・切換検知部、２１ｃ・・・エラーメッセージ書き込み部、２２・・・ロケーションＤＢ、３１・・・セルラー／ＰＨＳ制御部、３１ａ・・・呼び出し制御部、３１ｂ・・・無線ＬＡＮ  Ｉ／Ｆ制御部、３２・・・無線ＬＡＮ制御部、３２ａ・・・Ｉ／Ｆ起動制御部、３２ｂ・・・ＡＰ検知部、３３・・・ＴＣＰ／ＩＰ制御部、３４・・・ＳＩＰ  ＵＡ、３４ａ・・・呼び出し受付部、３４ｂ・・・無線ＬＡＮ  Ｉ／Ｆ制御部、３５・・・メーラー。
【図１】
2005109850.tif 000003
【図２】
2005109850.tif 000004
【図３】
2005109850.tif 000005
【図４】
2005109850.tif 000006
【図５】
2005109850.tif 000007
【図６】
2005109850.tif 000008
【図７】
2005109850.tif 000009